(57)【要約】【課題】  溶融比重が水より小さな樹脂のペレット同士の互着及びアグロメを防止する。【解決手段】  カッターボックス１６内に、これの軸方向及び円周方向に所定間隔をあけて複数個の散布ノズル２４を配設し、散布ノズル２４から散布される液体又は気体により、カッターボックス１６内周面を水の遠心力により勢いよく流れる水膜流２２面全体を均等に加圧し、ペレットの水膜流２２面上への浮上を防止する。【選択図】 図１
2005305889.tif 000002
【特許請求の範囲】
【請求項１】
押出機（１０）先端部に配設され、加熱溶融した樹脂をストランド状に押出し可能なダイス孔（１２）と、前記押出された樹脂を空中でペレット状に切断するカッター（１４）と、を有し、前記カッター（１４）及び前記ダイス孔（１２）を覆うように配設されるカッターボックス（１６）の内周面に沿って流れる水膜流により前記ペレットを冷却及び搬送するセミアンダーウォーターカット装置において、
前記カッターボックス（１６）には、前記水膜流面全体を均等に加圧可能な液体又は気体を散布する散布ノズル（２４）が設けられていることを特徴とするセミアンダーウォーターカット装置。
【請求項２】
前記散布ノズル（２４）は、複数設置されていることを特徴とする請求項１記載のセミアンダーウォーターカット装置。
【請求項３】
前記散布ノズル（２４）は、充円錐、扇状及び空円錐などの形状を有し、用途に応じて選択可能であることを特徴とする請求項１又は２記載のセミアンダーウォーターカット装置。
【請求項４】
前記散布ノズル（２４）は、水膜流面に対し、垂直方向、水膜流と同流方向又は逆流方向に液体又は気体の散布方向を可変であることを特徴とする請求項１〜３の内のいずれか記載のセミアンダーウォーターカット装置。
【発明の詳細な説明】
【技術分野】
【０００１】
本発明は、押出機先端部に取付けられたダイスから、加熱溶融した樹脂をストランド状に押出し、この押出された樹脂を空中でカッターによりペレット状に切断する空中ホットカット法の造粒装置に関するものである。
【背景技術】
【０００２】
空中ホットカット法の造粒装置において、押出機先端部に取付けられたダイスのダイス穴より押出された棒状のストランドを空中でカッターによりペレット状に切断後、素早くペレットを冷却し、ペレット同士の互着や互着したペレット同士が集積し固まりになるアグロメを防止することが、品質の安定したペレットを製造するためには必要なことである。このため、ペレットの冷却方法としては様々な工夫がなされている。
【０００３】
その一例を、図５、図６、図７及び図８に示す。
押出機１０先端部に、押出機内で溶融加熱された樹脂をストランド状に吐出するダイス孔１２と、ダイス孔１２から吐出されたストランドを空中でペレット状に切断するカッター１４と、が設けられており、ダイス孔１２とカッター１４とは、カッターボックス１６により覆われている。カッターボックス１６の押出機１０側端部には、カッターボックス１６の内周面に水の遠心力により勢いよく流れる主水流（水膜流）２２を供給する注水口１８が配設されており、カッターボックス１６の注水口１８とは軸方向反対側の端部には、ペレットとともにカッターボックス１６内の水を排出する排出口２０が配設されている。
【０００４】
この装置の場合、ダイス孔１２から吐出されたストランドは、空中でカッター１４によるペレット状に切断され、遠心力によりペレットがカッターボックス１６の内壁面に吹き飛ばされる。カッターボックス１６の内壁面には、注水口１８から供給された水が、遠心力により内壁面に沿って流れる水膜流が形成されており、内壁面に吹き飛ばされたペレットが、水膜流中に没入して冷却されつつ水膜流とともに排水口２０から排出される。
【０００５】
しかしながら、注水口１８から供給される水により形成する水膜流だけでは、カッターボックス１６の中心部に位置するカッター１４を回転可能に保持する図示してないカッター軸、ならびにカッター軸を保持する図示してないカッターホルダー部分は水膜流の死角となりやすい。このため、この死角部分に飛散してきたペレットが、この箇所に付着し、さらに次々と飛来するペレットと合着して、アグロメが発生する可能性がある。
【０００６】
この改善策として、前記従来技術の冷却水をカッターボックス１６内周面に沿って流しペレットの冷却、搬送用の水膜流を形成する構造に加え、カッターボックス１６側垂直側面及びカッターボックス１６内に向かって一方向から冷却水を噴出させる冷却水噴出し口と、カッターボックス１６の内周面に形成した螺旋溝と、を有するものがある。
【０００７】
この装置の場合、前記従来技術で発生していた死角に冷却水噴出し口から噴出させた冷却水をかけることができ、死角部分にペレットが付着することを防止することができるとともに、螺旋溝により水膜流の流路を構成し、ペレットを排出口に導くことができる（例えば、特許文献１参照）。
【特許文献１】特開２００１−２７７２３７号公報
【発明の開示】
【発明が解決しようとする課題】
【０００８】
しかしながら上述の従来の技術においては、水より溶融比重が小さく、例えば溶融比重ρ＜１．０ｇ/ｃｍ3の樹脂の場合、遠心力により通常重力下よりさらに水膜流の水面上に浮き上がるため冷却されず、ペレット同士が互着したりアグロメが発生したりする可能性があるという問題がある。
【０００９】
すなわち、図８に示されるように、水膜流同士が合流する部分は、水膜流が一定方向に流れず、乱流部分Ａとなり、また、水膜流をカッターボックス内と排出口とに分岐させる壁の部分は、この壁の影響で、乱流部分Ｂとなる。このため、これら乱流部分Ａ及びＢでペレットの互着が発生する。
【００１０】
また、冷却水噴出し口を設けて冷却水を噴出させるものにおいては、噴出し口のノズルが一方向を向いており、ペレットの押付け方向が一方向となるので、水膜粒状にペレットが浮き上がり、冷却が不十分となる。
【００１１】
さらには、水膜流の死角部でのペレットの互着防止が一方向のみであるので、全ペレットの互着防止としては不十分である。
【課題を解決するための手段】
【００１２】
本発明は、カッターボックスの水膜流面全体、すなわち、水膜流の周方向及び流れ方向に均等に水又は気体を散布する複数のノズルを設置することを最も主要な特徴とする。
【発明の効果】
【００１３】
本発明のセミアンダーウォーターカット装置は、カッターボックスの水膜流面全体を均等に加圧するように水又は気体を散布する複数のノズルを有するので、水膜流周面へのペレットの押付けが水膜流全体で均一になる。このため、溶融比重が水より軽い水に浮き易いペレットや、水膜流の乱流により浮き上がってくるペレットを水膜流内へ封じ込めることができ、各ペレットを確実に冷却することができる。また、水膜流の死角自体もなくなり、ペレット同士の互着やアグロメが確実に防止され，品質の安定したペレット製造が可能となる。
【発明を実施するための最良の形態】
【００１４】
本発明の実施の形態では、カッターボックスの水膜流面全体を均等に加圧するように水又は気体を散布する複数のノズルを設けることにより、溶融比重が水より軽いペレットの冷却及びアグロメを防止した。
【実施例１】
【００１５】
図１、図２、図３及び図４に本発明の実施例を示す。
押出機１０先端部に、押出機内で溶融加熱された樹脂をストランド状に吐出するダイス孔１２と、ダイス孔１２から吐出されたストランドを空中でペレット状に切断するカッター１４と、が設けられており、ダイス孔１２とカッター１４とは、カッターボックス１６により覆われている。カッターボックス１６の押出機１０側端部には、カッターボックス１６の内周面に水の遠心力により勢いよく流れる主水流（水膜流）２２を供給する注水口１８が配設されており、カッターボックス１６の注水口１８とは軸方向反対側の端部には、ペレットとともにカッターボックス１６内の水を排出する排水口２０が配設されている。カッターボックス１６には、水膜流２２面全体を均等に加圧可能な水又は気体を散布する散布ノズル２４が、カッターボックス１６の軸方向及び円周方向に所定間隔をあけて複数個配設されている。
【００１６】
散布ノズル２４の形状は、銃円錐、扇状及び空円錐など、用途に応じて選択可能であり、散布ノズル２４から散布する流体は、水などの液体及び気体などである。また、散布ノズル２４は、水膜流２２面に対し、垂直方向、水膜流と同流方向又は逆流方向に液体又は気体の散布方向を可変であり、散布前にあらかじめ手動で散布ノズル２４の向きを変更しておく。
【００１７】
本実施例の動作について説明すると、ダイス孔１２から吐出されたストランドは、空中でカッター１４によるペレット状に切断され、遠心力によりペレットがカッターボックス１６の内壁面に吹き飛ばされる。カッターボックス１６の内壁面には、注水口１８から供給された水が、遠心力により内壁面に沿って流れる水膜流が形成されており、内壁面に吹き飛ばされたペレットが、水膜流中に没入する。この際、散布ノズル２４から、図３及び図４に示されるように流体が散布され水膜流面全体を加圧するので、ペレットが水膜流面上に浮上することなく冷却されつつ水膜流とともに排水口２０から排出される。
【００１８】
次に、以下の条件で行った実験について説明する。
ペレットを製造する樹脂；原料：ＬＬＤＰＥ、溶融比重：０．７６ｇ/ｃｍ3
散布ノズル２４の形状：銃円錐形、
散布ノズル２４の性能：流量：２リットル/ｍiｎ、圧力：３ｋｇ/ｃｍ2、粒径：３８０μｍ、噴角：６５度（すなわち、散布ノズル２４から径方向に６５度の角度を持って水を散布する）
散布ノズル２４から散布する流体：水
散布ノズル２４の配設位置：水膜流２２全体に散布可能に配置
【００１９】
この結果、互着ペレットは２％程度に大幅に減少した。一方、上記実験と同じ原料の樹脂を使用し、散布ノズル２４を用いない従来方法で製造したペレットでは互着ペレットが正規品に対して２０％以上であった。
【００２０】
なお、溶融比重が１．０ｇ/ｃｍ3以上の樹脂、すなわち、水よりも比重の大きな樹脂では、散布ノズル２４なしでもペレットの互着は少ない。しかしながら、溶融比重が水よりも小さな場合には、散布ノズル２４の効果が非常に高いといえる。
【図面の簡単な説明】
【００２１】
【図１】実施例１の側断面図である。
【図２】実施例１の正面図である。
【図３】実施例１の斜視図である。
【図４】実施例１の散布ノズルからの流体の散布状態を示す斜視図である。
【図５】従来技術を示す部分側断面図である。
【図６】従来技術の正面図である。
【図７】従来技術のカッターボックス内を示す側断面図である。
【図８】従来技術を示す斜視図である。
【符号の説明】
【００２２】
１０  押出機、１２  ダイス孔、１４  カッター、１６  カッターボックス、１８  注水口、２０  排水口、２４  散布ノズル。
【図１】
2005305889.tif 000003
【図２】
2005305889.tif 000004
【図３】
2005305889.tif 000005
【図４】
2005305889.tif 000006
【図５】
2005305889.tif 000007
【図６】
2005305889.tif 000008
【図７】
2005305889.tif 000009
【図８】
2005305889.tif 000010